(57)【特許請求の範囲】
【請求項１】
電気回路を冷却する空冷ファンを備えた電気機器において、
スピーカで再生されるべき音声の大小を示す情報を少なくとも有する音声データを取得する取得手段と、
該取得手段が取得した音声データを蓄積する手段と、
蓄積された音声データに基づいて、音量が小さい小音量期間及び音量が大きい大音量期間を検出する音量検出手段と、
該音量検出手段が検出した大音量期間における前記空冷ファンの回転数を、該大音量期間より後の小音量期間の長／短に応じて、増／減させるファン制御手段と
を備えることを特徴とする電気機器。
【請求項２】
電気回路を空冷する空冷ファンと、スピーカで再生されるべき音声の大小を示す情報を少なくとも有する音声データを再生する再生手段とを備え、前記空冷ファンは再生される音声データの音量が大きい程、高速で回転するようにしてある音声再生装置において、
スピーカで再生されるべき音声の大小を示す情報を少なくとも有する音声データを蓄積する手段と、
蓄積された音声データに基づいて、音量が小さい小音量期間及び音量が大きい大音量期間を該音声データが再生される前に検出する音量検出手段と、
該音量検出手段が検出した大音量期間における前記空冷ファンの回転数を、該大音量期間より後の小音量期間の長／短に応じて、増／減させるファン制御手段と
を備えることを特徴とする音声再生装置。
【請求項３】
前記ファン制御手段は、
小音量期間で前記空冷ファンを低速回転させる手段と、
大音量期間で前記空冷ファンを中速回転又は高速回転させる手段と、
前記音量検出手段が検出した小音量期間の長／短に応じて、前記空冷ファンを高速回転させる期間の時間長が長／短になるように該時間長を決定する決定手段と
を備えることを特徴とする請求項２に記載の音声再生装置。
【請求項４】
前記音量検出手段は、
蓄積された音声データに基づいて、大音量期間、中音量期間及び小音量期間を検出するようにしてあり、
高速、中速及び低速回転時の前記電気回路の温度昇降速度を記憶する記憶手段を備え、
前記決定手段は、
｜ＴL ×Ｌ｜≦｜ＴM ×Ｍ＋ＴH ×Ｈ｜
を満たすように、前記空冷ファンを高速回転させる期間の時間長を決定するようにしてある
ことを特徴とする請求項３に記載の音声再生装置。
但し、
ＴL ：低速回転時の前記電気回路の温度昇降速度
ＴM ：中速回転時の前記電気回路の温度昇降速度
ＴH ：高速回転時の前記電気回路の温度昇降速度
Ｌ：前記空冷ファンを低速回転させる期間
Ｍ：前記空冷ファンを中速回転させる期間
Ｈ：前記空冷ファンを高速回転させる期間
【請求項５】
前記音量検出手段は、
音声データに基づいて、大音量期間、中音量期間及び小音量期間を検出するようにしてあり、
高速、中速及び低速回転時の前記電気回路の温度昇降速度を予め記憶する記憶手段を備え、
前記ファン制御手段は、
前記記憶手段が記憶している温度昇降速度及び前記音量検出手段が検出した大音量期間、中音量期間及び小音量期間に基づいて、大音量期間における降下温度が小音量期間における上昇温度以上であるか否かを判定する手段と、
否と判断された場合、前記空冷ファンを高速回転させる期間を延長させる手段と
を備えることを特徴とする請求項３に記載の音声再生装置。
【請求項６】
前記所定温度は、
前記空冷ファンを中速回転させた場合における前記電気回路の平衡温度より高い
ことを特徴とする請求項５に記載の音声再生装置。
【請求項７】
前記ファン制御手段は、
小音量期間における前記空冷ファンの回転数を増／減させる手段を備える
ことを特徴とする請求項２から請求項６のいずれか一つに記載の音声再生装置。
【請求項８】
スピーカで再生されるべき音声の大小を示す情報を少なくとも有する音声データを再生する音声再生装置が備える空冷ファンの回転数を、再生される音声データの音量が大きい程、高速になるように制御する空冷ファン制御方法において、
スピーカで再生されるべき音声の大小を示す情報を少なくとも有する音声データを蓄積し、
蓄積された音声データに基づいて、音量が小さい小音量期間及び音量が大きい大音量期間を該音声データが再生される前に検出し、
検出された大音量期間における前記空冷ファンの回転数を、該大音量期間より後の小音量期間の長／短に応じて、増／減させる
ことを特徴とする空冷ファン制御方法。
【請求項９】
コンピュータに、電気回路を空冷する空冷ファンの動作量を制御するためのデータを算出させるコンピュータプログラムにおいて、
コンピュータに、スピーカで再生されるべき音声の大小を示す情報を少なくとも有する音声データを蓄積させ、
コンピュータに、蓄積された音声データに基づいて、音量が小さい小音量期間及び音量が大きい大音量期間を該音声データが再生される前に検出させ、
コンピュータに、検出された大音量期間における前記空冷ファンの動作量を、該大音量期間より後の小音量期間の長／短に応じて、増／減させるデータを算出させる
ことを特徴とするコンピュータプログラム。
【発明の詳細な説明】
【技術分野】
【０００１】
本発明は、空冷ファンの騒音を抑えるべく、再生されるべき音声データの音量に応じてファンの回転数を増減させる電気機器、音声再生装置、空冷ファン制御方法、空冷ファン制御方法を実施するためのコンピュータプログラムに関する。
【背景技術】
【０００２】
空冷ファンの騒音を抑えることができる音声再生装置が提案されている（例えば、特許文献１）。該音声再生装置は、ボリューム設定値が大音量の場合、空冷ファンの回転速度を増加させ、ボリューム設定値が小音量の場合、回転数を減少させることによって空冷ファンの騒音を抑えるように構成されている。
また、音声信号レベルに応じて空冷ファンの回転数を増減させる音声再生装置が提案されている。
【特許文献１】特開２００４−１２０２６８号公報
【発明の開示】
【発明が解決しようとする課題】
【０００３】
しかしながら、従来の音声再生装置においては、空冷ファンの回転数を減少させた小音量期間が長時間継続して機器内部の温度が上昇した場合、小音量期間であっても、内部機器の破損を防止するために空冷ファンを再び高速回転させる必要があり、空冷ファンの回転による騒音が視聴を妨げるという問題があった。
また、音声信号レベルに応じて空冷ファンの回転数を増減させる場合、小音量期間の継続時間に拘わらず大音量期間で空冷ファンが高速回転するため、無駄に騒音が発生するという問題があった。
【０００４】
本発明は斯かる事情に鑑みてなされたものであり、音声データに基づいて、小音量期間及び大音量期間を予め検出し、大音量期間における空冷ファンの回転数を、該大音量期間より後の小音量期間の長／短に応じて増／減させることにより、小音量期間における空冷ファンの騒音を低減し、且つ電気回路の温度上昇を効果的に抑えることができる電気機器、音声再生装置、空冷ファン制御方法、空冷ファン制御方法を実施するためのコンピュータプログラムを提供することを目的とする。
【課題を解決するための手段】
【０００５】
本発明に係る電気機器は、電気回路を冷却する空冷ファンを備えた電気機器において、スピーカで再生されるべき音声の大小を示す情報を少なくとも有する音声データを取得する取得手段と、該取得手段が取得した音声データを蓄積する手段と、蓄積された音声データに基づいて、音量が小さい小音量期間及び音量が大きい大音量期間を検出する音量検出手段と、該音量検出手段が検出した大音量期間における前記空冷ファンの回転数を、該大音量期間より後の小音量期間の長／短に応じて、増／減させるファン制御手段とを備えることを特徴とする。
【０００６】
本発明に係る音声再生装置は、電気回路を空冷する空冷ファンと、スピーカで再生されるべき音声の大小を示す情報を少なくとも有する音声データを再生する再生手段とを備え、前記空冷ファンは再生される音声データの音量が大きい程、高速で回転するようにしてある音声再生装置において、スピーカで再生されるべき音声の大小を示す情報を少なくとも有する音声データを蓄積する手段と、蓄積された音声データに基づいて、音量が小さい小音量期間及び音量が大きい大音量期間を該音声データが再生される前に検出する音量検出手段と、該音量検出手段が検出した大音量期間における前記空冷ファンの回転数を、該大音量期間より後の小音量期間の長／短に応じて、増／減させるファン制御手段とを備えることを特徴とする。
【０００７】
本発明に係る音声再生装置は、前記ファン制御手段は、小音量期間で前記空冷ファンを低速回転させる手段と、大音量期間で前記空冷ファンを中速回転又は高速回転させる手段と、前記音量検出手段が検出した小音量期間の長／短に応じて、前記空冷ファンを高速回転させる期間の時間長が長／短になるように該時間長を決定する決定手段とを備えることを特徴とする。
【０００８】
本発明に係る音声再生装置は、前記音量検出手段は、蓄積された音声データに基づいて、大音量期間、中音量期間及び小音量期間を検出するようにしてあり、高速、中速及び低速回転時の前記電気回路の温度昇降速度を記憶する記憶手段を備え、前記決定手段は、｜ＴL ×Ｌ｜≦｜ＴM ×Ｍ＋ＴH ×Ｈ｜を満たすように、前記空冷ファンを高速回転させる期間の時間長を決定するようにしてあることを特徴とする。
【０００９】
本発明に係る音声再生装置は、前記音量検出手段は、音声データに基づいて、大音量期間、中音量期間及び小音量期間を検出するようにしてあり、高速、中速及び低速回転時の前記電気回路の温度昇降速度を予め記憶する記憶手段を備え、前記ファン制御手段は、前記記憶手段が記憶している温度昇降速度及び前記音量検出手段が検出した大音量期間、中音量期間及び小音量期間に基づいて、大音量期間における降下温度が小音量期間における上昇温度以上であるか否かを判定する手段と、否と判断された場合、前記空冷ファンを高速回転させる期間を延長させる手段とを備えることを特徴とする。
【００１０】
本発明に係る音声再生装置は、前記所定温度は、前記空冷ファンを中速回転させた場合における前記電気回路の平衡温度より高いことを特徴とする。
【００１１】
本発明に係る音声再生装置は、前記ファン制御手段は、小音量期間における前記空冷ファンの回転数を増／減させる手段を備えることを特徴とする。
【００１２】
本発明に係る空冷ファン制御方法は、スピーカで再生されるべき音声の大小を示す情報を少なくとも有する音声データを再生する音声再生装置が備える空冷ファンの回転数を、再生される音声データの音量が大きい程、高速になるように制御する空冷ファン制御方法において、スピーカで再生されるべき音声の大小を示す情報を少なくとも有する音声データを蓄積し、蓄積された音声データに基づいて、音量が小さい小音量期間及び音量が大きい大音量期間を該音声データが再生される前に検出し、検出された大音量期間における前記空冷ファンの回転数を、該大音量期間より後の小音量期間の長／短に応じて、増／減させることを特徴とする。
【００１３】
本発明に係るコンピュータプログラムは、コンピュータに、電気回路を空冷する空冷ファンの動作量を制御するためのデータを算出させるコンピュータプログラムにおいて、コンピュータに、スピーカで再生されるべき音声の大小を示す情報を少なくとも有する音声データを蓄積させ、コンピュータに、蓄積された音声データに基づいて、音量が小さい小音量期間及び音量が大きい大音量期間を該音声データが再生される前に検出させ、コンピュータに、検出された大音量期間における前記空冷ファンの動作量を、該大音量期間より後の小音量期間の長／短に応じて、増／減させるデータを算出させることを特徴とする。
【００１４】
本発明にあっては、小音量期間が到来した場合、空冷ファンの回転数を他の期間に比して減少させる。従って、小音量期間における空冷ファンの騒音を抑えることができる。
ところが、空冷ファンの回転数が減少する小音量期間が長い程、小音量期間における電気回路の上昇温度が高くなり、電気回路の動作保証温度を超えるおそれが生ずる。
この問題を解決すべく、本発明の音量検出手段は、蓄積された音声データに基づいて、小音量期間及び大音量期間を予め検出し、ファン制御手段は、将来的に訪れる小音量期間の長／短に応じて、該小音量期間に先立つ大音量期間における空冷ファンの回転数を増／減させる。なお、小音量期間の長／短に応じて回転数を増／減させるとは、小音量期間の時間長が長い程、より長時間、空冷ファンを高速回転させる制御、及び小音量期間の時間長が長い程、空冷ファンの回転数を増加させる制御のいずれか一方、又は双方を意味する。
この場合、小音量期間の長短に拘わらず、該小音量期間に先立つ大音量期間で電気回路を十分に冷却することができ、小音量期間における電気回路の温度上昇を効果的に抑えることができる。
また、本発明は、小音量期間における電気回路の温度上昇を抑えるために、大音量期間で空冷ファンの回転数を増加させる構成であるため、小音量期間で空冷ファンの回転数を増加させる場合に比して、騒音は問題にならない。
更に、本発明は、小音量期間の長／短に応じて、大音量期間における空冷ファンの回転数を増／減させる構成であるため、無駄に空冷ファンの回転数が増加することは無く、効果的に空冷ファンの騒音を抑えることができる。
なお、電気機器又は音声再生装置が取得する音声データは、狭義の音声データのみならず、再生される音声の大小を示す情報を少なくとも有する広義の音声データも含む。例えば、音声信号から包絡線検波して得られた包絡線検波信号を音声データとして取得しても良い。また、包絡線検波信号を離散化して得られる音声データ、例えば大音量、中音量及び小音量の３値で音量を示す音声データを取得するように構成しても良い。
また、本発明に記載の電気部品は、空冷ファンの上位概念であり、その動作によって騒音を発する部材を意味する。
【００１５】
本発明にあっては、ファン制御手段は、小音量期間で空冷ファンを低速回転させる。また、ファン制御手段は、小音量期間の長／短に応じて、空冷ファンを高速回転させる期間の時間長が長／短になるように、空冷ファンの回転を制御し、小音量期間における温度上昇を抑える。
空冷ファンを高速回転させる時間を調整することによって、小音量期間における温度上昇を抑えることができるため、空冷ファンの回転による騒音を一定量に抑えることができる。
【００１６】
本発明にあっては、ファン制御手段は、空冷ファンを高速回転させる大音量期間における電気回路の降下温度｜ＴM ×Ｍ＋ＴH ×Ｈ｜が、空冷ファンを低速回転させる小音量期間における電気回路の上昇温度｜ＴL ×Ｌ｜以上になるように、空冷ファンを高速回転させる期間の時間長を決定する。つまり、小音量期間における上昇温度を予め推定し、大音量期間で電気回路の温度を該上昇温度分下げておくことによって、小音量期間における上昇温度を温度補償することができる。
【００１７】
本発明にあっては、ファン制御手段は、記憶手段が記憶している温度昇降速度及び音量検出手段が検出した大音量期間、中音量期間及び小音量期間に基づいて、該小音量期間が終了するときの電気回路の温度を算出する。そして、ファン制御手段は、小音量期間が終了するときの電気回路の温度が所定温度未満になるように、空冷ファンを高速回転させる期間の時間長を決定する。
【００１８】
本発明にあっては、電気回路の温度が、空冷ファンを中速回転させた場合の電気回路の平衡温度よりも高い所定温度以下になるように、空冷ファンを高速回転させる期間の時間長を決定する。
従って、小音量期間における上昇許容温度が大きくなるため、小音量期間が到来する前に降下させるべき降下温度が小さくなり、高速回転期間を短くすることができる。
【００１９】
本発明にあっては、小音量期間における空冷ファンの回転数を増／減させる手段を備えている。従って、大音量期間で空冷ファンの回転数を増加させるのみでは、小音量期間における電気回路の上昇温度を温度補償できない場合、小音量期間における空冷ファンの回転数を補助的に増／減させることによって、電気回路の温度上昇を抑えることができる。
【発明の効果】
【００２０】
本発明によれば、小音量期間における空冷ファンの騒音を低減し、且つ電気回路の温度上昇を効果的に抑えることができる。
【発明を実施するための最良の形態】
【００２１】
以下、本発明をその実施の形態を示す図面に基づいて詳述する。
（実施の形態１）
図１は、本発明の実施の形態に係る音声再生装置としてのディスク再生装置の構成を示すブロック図である。図中１１は、ディスク再生装置の各種構成部の動作を制御し、本発明に係る空冷ファン制御方法を実施する制御部である。制御部１１は、例えばＣＰＵ（Central Processing Unit）、計時部等を備えたマイクロコンピュータであり、制御部１１にはバス２０を介して再生部１２、デコーダ１３、メモリ１４、音量検出部１５、映像出力部１６、音声出力部１７、空冷ファン（電気部品）１８、及び温度昇降速度記憶部１９が接続されている。
【００２２】
再生部１２は、ＤＶＤ（Digital Versatile Disc）、BD（Blu-ray）、HD-DVD（High Definition-DVD）等の記録媒体Ｍからデータを読み出す光ディスクドライブである。以下、一例として記録媒体ＭがＤＶＤである場合を説明する。なお、光ディスクは記録媒体Ｍの一例であり、データを記録可能な他の媒体を備えても良い。再生部１２は、記録媒体Ｍからデータを読み出す光ピックアップ、読み出したデータを復調する復調部等を備えており、該復調部で復調されたデータはデコーダ１３に与えられる。
なお、ＤＶＤは、ＭＰＥＧ２ＰＳ形式のデータを記録している。ＭＰＥＧ２ＰＳ形式のデータは、複数のパケットから構成されている。パケットは、映像を構成する時系列順のビデオデータ及び音声データを所定の圧縮伸張方式で圧縮し、パケット化したものである。
【００２３】
デコーダ１３は、ＭＰＥＧ２ＰＳ形式のデータからビデオデータに係るパケットと、音声データに係るパケットとを分離する分離部、並びにビデオデコーダ及び音声デコーダを備えている。ビデオデコーダは、分離部で分離されたビデオデータを、ＭＰＥＧ２の圧縮伸張方式に従って伸張し、伸張したビデオデータをメモリ１４に与える。音声デコーダは、分離部で分離された音声データを、所定の圧縮伸張方式、例えばＡＣ３（Audio Code number 3）の圧縮伸張方式に従って伸張し、伸張した音声データを、メモリ１４に与える。
【００２４】
メモリ１４は、ＤＲＡＭ、ＳＲＡＭ等の不揮発性メモリであり、所定再生時間、例えば数秒〜１０数秒に相当する音声データを蓄積可能な記憶容量を有している。
【００２５】
映像出力部１６及び音声出力部１７は、所定のタイミングでメモリ１４から与えられたビデオデータ及び音声データを、アナログのビデオ信号及び音声信号にＤＡ変換し、ＤＡ変換したビデオ信号及び音声信号を外部の図示しない表示装置及びスピーカに出力する。ビデオ及び音声の出力タイミングはビデオデータ及び音声データに記録されており、制御部１１が出力タイミングを制御している。
【００２６】
空冷ファン１８は、例えば角型軸流ファンであり、ブラシレスＤＣモータと、該ブラシレスＤＣモータのロータに形成されたファンとを備え、ディスク再生装置を構成する制御部１１、再生部１２、デコーダ１３等の各種電気回路を冷却している。なお、制御部１１、再生部１２、デコーダ１３は、被冷却対象である電気回路の一例であり、電源回路のような他の回路を冷却するように構成しても良い。
【００２７】
音量検出部１５は、メモリ１４が記憶した音声データに基づいて、再生される音量が小さい小音量期間、音量が中程度の中音量期間、及び音量が大きい大音量期間を検出する機能を備えている。例えば、音量検出部１５は、音声データに係る音声信号波形の包絡線検波を行う包絡線検波器と、包絡線検波された包絡線検波信号波形に基づいて大音量、中音量及び小音量を判別するための中音量閾値及び大音量閾値を記憶した記憶部とを備えている。音量検出部１５は、包絡線検波信号の信号レベルと前記大音量閾値とを比較し、前記信号レベルが大音量閾値以上である場合、大音量期間であると判別する。同様に、音量検出部１５は、包絡線検波信号の信号レベルが大音量閾値未満であり、且つ中音量閾値以上である場合、中音量期間であると判別する。また、大音量検出部１５は、包絡線検波信号の信号レベルが中音量閾値未満である場合、小音量期間であると判別する。そして、音量検出部１５は検出結果を制御部１１に与える。
【００２８】
温度昇降速度記憶部１９は、空冷ファン１８が高速回転、中速回転及び低速回転した場合の各種電気回路の温度昇降速度を記憶している。
【００２９】
図２は、温度昇降速度を概念的に示すグラフである。横軸は空冷ファン１８を継続的に回転させた時間、縦軸は電気回路の温度を示している。実線で示した直線は、所定上限温度未満で空冷ファン１８を高速回転させた場合の温度変化を示している。所定上限温度は、ディスク再生装置の各種電気回路が正常に動作できる範囲内で定めた温度であり、例えば空冷ファン１８を中速回転させた場合の電気回路の平衡温度である。空冷ファン１８を高速回転させた場合の電気回路の温度昇降速度をＨ、時間をＴ、温度をｔ、時間Ｔ＝０のときの温度をｔ０とした場合、前記温度変化は、ｔ＝ｔ０＋Ｈ×Ｔで表される。
同様に、破線で示した直線は、所定上限温度未満で空冷ファン１８を中速回転させた場合の温度変化を示しており、該温度変化はｔ＝ｔ０＋Ｍ×Ｔで表される。また、一点鎖線で示した直線は、空冷ファン１８を低速回転させた場合の温度変化を示しており、該温度変化はｔ＝ｔ０＋Ｌ×Ｔで表される。但し、Ｍは空冷ファン１８を中速回転させた場合の電気回路の温度昇降速度、Ｌは空冷ファン１８を低速回転させた場合の電気回路の温度昇降速度を示している。
【００３０】
図３は、空冷ファン１８の回転制御の処理内容を示すタイミングチャートである。
図３（ａ）は、音声データから得られる音声信号を示している。横軸は時間、縦軸は音声信号の信号レベルを示している。
図３（ｂ）は、図３（ａ）に示す音声信号を包絡線検波して得られる包絡線検波信号を示している。包絡線検波信号の信号レベルは、再生される音声データの音量に対応している。図３（ｂ）中、破線で示した２本の横線は、大音量閾値及び中音量閾値を示している。包絡線検波信号の信号レベルが中音量閾値未満である場合、小音量期間と判別され、前記信号レベルが中音量閾値以上、大音量閾値未満である場合、中音量期間と判別され、前記信号レベルが大音量閾値以上である場合、大音量期間と判別される。
図３（ｃ）は、音量検出部１５で検出された大音量期間、中音量期間、小音量期間を示す音量信号を示している。音量信号の信号レベルは高レベル、中レベル及び低レベルの３値をとり、高レベルは大音量期間、中レベルは中音量期間、小レベルは小音量期間を夫々示している。
本発明に係るディスク再生装置は、空冷ファン１８の騒音を低減させるべく、小音量期間で空冷ファン１８を低速回転させるように構成されている。しかし、空冷ファン１８を長時間、低速回転させた場合、電気回路の温度が該電気回路の動作保証温度を超えてしまう虞がある。
そこで本発明に係るディスク再生装置は、小音量期間における上昇温度を補償すべく、大音量期間で空冷ファン１８を高速回転させ、更に高速回転させる時間を、小音量期間の時間長に応じて長短させるようにしてある。
図３（ｄ）は、電気回路の温度変化を示すタイミングチャートである。図３（ｄ）に示すように、小音量期間に先立つ大音量期間で空冷ファン１８の回転数を増加させることによって、電気回路の温度を低下させているため、小音量期間で電気回路の温度が上昇した場合であっても、電気回路の温度を、所定上限温度である平衡温度ＴMa以下に抑えることができる。
【００３１】
図４及び図５は、空冷ファン１８の回転制御に係る制御部１１の処理手順を示すフローチャートである。
音声データの再生開始の指示を受けた場合、制御部１１は、音声データをデコーダ１３から取得し、取得したデータをメモリ１４に蓄積する（ステップＳ１１）。次いで、制御部１１は、メモリ１４に蓄積された音声データを音量検出部１５に与え、大音量期間、中音量期間及び小音量期間を検出させる（ステップＳ１２）。
【００３２】
そして、制御部１１は、音量検出部１５の検出結果に基づいて、小音量期間の有無を判定する（ステップＳ１３）。小音量期間が無いと判定した場合（ステップＳ１３：ＮＯ）、制御部１１は、空冷ファン１８の回転に係る後述の処理を実行する。小音量期間があると判定した場合（ステップＳ１３：ＹＥＳ）、制御部１１は、温度昇降速度記憶部１９から高速回転、中速回転及び低速回転時夫々の温度昇降速度を読み出す（ステップＳ１４）。
【００３３】
次いで、制御部１１は、ステップＳ１２で検出した小音量期間と、ステップＳ１４で読み出した低速回転時の温度昇降速度とに基づいて、小音量期間における上昇温度を算出する（ステップＳ１５）。
【００３４】
図６は、電気回路の温度変化を示すタイミングチャートである。横軸は時間、縦軸は電気回路の温度を示している。空冷ファン１８を低速回転させる小音量期間の時間長をＴL 、低速回転時の温度昇降速度をＬとした場合、上昇温度ｔL は、｜ＴL ×Ｌ｜と表される。
【００３５】
次いで、制御部１１は、高速回転制御期間の初期設定を行う（ステップＳ１６）。例えば、制御部１１は高速回転制御期間として０を設定する。なお、高速回転制御期間とは、小音量期間の開始時点と、該小音量期間に先だって空冷ファン１８の回転数を増加させる処理を開始する時点とに亘る期間である。
【００３６】
そして制御部１１は、ステップＳ１２で検出した中音量期間及び大音量期間と、ステップＳ１４で読み出した中速回転時及び高速回転時の温度昇降速度とに基づいて、高速回転制御期間における大音量期間及び中音量期間の降下温度を算出する（ステップＳ１７）。具体的には、大音量期間の時間長をＴHi、中音量期間の時間長をＴMj、高速回転時の温度昇降速度をＨ、中速回転時の温度昇降速度をＭとした場合、高速回転制御期間における降下温度は、｜ΣＴHi×Ｈ＋ΣＴMj×Ｍ｜と表される。但し、ｉは複数の大音量期間を夫々示す自然数、ｊは複数の中音量期間を夫々示す自然数である。
より具体的には、図６に示すように、小音量期間に先立つ高速回転制御期間に大音量期間が２回、中音量期間が２回含まれる場合、高速回転制御期間における降下温度は、｜ＴH2×Ｈ＋ＴM2×Ｍ＋ＴH1×Ｈ＋ＴM1×Ｍ｜と表される。なお、図６中、ｔH1＝ＴH1×Ｈ、ｔH2＝ＴH2×Ｈは各大音量期間における降下温度を示している。同様に、ｔM2＝ＴM2×Ｍ、M1＝ＴM1×Ｍは、各中音量期間における上昇温度を示している。
【００３７】
ステップＳ１７の処理を終えた場合、制御部１１は、高速回転制御期間における降下温度が小音量期間における上昇温度以上であるか否かを判定する（ステップＳ１８）。降下温度が上昇温度未満であると判定した場合（ステップＳ１８：ＮＯ）、制御部１１は、高速回転制御期間を延長することができるか否かを判定する（ステップＳ１９）。例えば、小音量期間開始時点を基点として、高速回転制御期間を既に現時点まで延長している場合、制御部１１は高速回転制御期間を延長できないと判定する。高速回転制御期間を延長することができると判定した場合（ステップＳ１９：ＹＥＳ）、制御部１１は、高速回転制御期間を延長し（ステップＳ２０）、処理をステップＳ１７に戻す。
【００３８】
高速回転制御期間を延長できないと判定した場合（ステップＳ１９：ＮＯ）、又はステップＳ１８で降下温度が上昇温度以上であると判定した場合（ステップＳ１８：ＹＥＳ）、制御部１１は、ステップＳ１７〜２０の処理で決定された高速回転制御期間を記憶する（ステップＳ２１）。
【００３９】
ステップＳ２１の処理を終えた場合、制御部１１は、現時点が小音量期間であるか否かを判定する（ステップＳ２２）。小音量期間であると判定した場合（ステップＳ２２：ＹＥＳ）、制御部１１は、空冷ファン１８を低速回転させ（ステップＳ２３）、処理を終える。
【００４０】
小音量期間でないと判定した場合（ステップＳ２２：ＮＯ）、又はステップＳ１３で小音量期間が無いと判定した場合（ステップＳ１３：ＮＯ）、制御部１１は、現時点が中音量期間であるか否かを判定する（ステップＳ２４）。中音量期間で無いと判定した場合（ステップＳ２４：ＮＯ）、制御部１１は、高速回転制御期間であるか否かを判定する（ステップＳ２５）。
【００４１】
高速回転制御期間でないと判定した場合（ステップＳ２５：ＮＯ）、又は中音量期間であると判定した場合（ステップＳ２４：ＹＥＳ）、制御部１１は、空冷ファン１８を中速回転させ（ステップＳ２６）、処理を終える。
【００４２】
高速回転制御期間であると判定した場合（ステップＳ２５：ＹＥＳ）、制御部１１は、空冷ファン１８を高速回転させ（ステップＳ２７）、処理を終える。
【００４３】
このように構成されたディスク再生装置及び空冷ファン制御方法にあっては、図６に示すように小音量期間の上昇温度ｔL ＝｜ＴL ×Ｌ｜を予め推定し、該上昇温度を補償するために必要な高速回転制御期間の時間長｜ΣＴHi×Ｈ＋ΣＴMj×Ｍ｜を算出し、大音量期間で空冷ファン１８を高速回転させることができる。従って、小音量期間における空冷ファン１８の騒音を低減し、且つ電気回路の温度上昇を効果的に抑えることができる。
また、無駄に空冷ファン１８の回転数が増加することは防止し、効果的に空冷ファンの騒音を抑えることができる。
【００４４】
なお上述の実施の形態１にあっては図４に示すように、小音量期間における上昇温度が中音量及び大音量期間における降下温度以上になるように高速回転制御期間を決定しているが、電気回路が所定上限温度以下になるように温度制御することができれば、他の演算方法で高速回転制御期間を決定しても良い。
【００４５】
以下、第１の変形例に係るディスク再生装置を説明する。第１の変形例に係るディスク再生装置は、低速回転期間終了時点の温度が所定上限温度以下になるように、空冷ファン１８の回転を制御している。具体的には、ステップＳ１８に代えて後述の処理を実行すれば良い。ステップＳ１７の処理を終えた場合、制御部１１は、小音量期間終了時点における電気回路の温度を算出する。小音量期間終了時点の温度は、（ｔMa−｜ΣＴHi×Ｈ＋ΣＴMj×Ｍ｜＋｜ＴL ×Ｌ｜）で表される。小音量期間の到来前の空冷ファン１８は中速回転しているため、電気回路の温度は平衡温度ｔMaである。従って、平衡温度ｔMaからその後の大音量制御期間における降下温度｜ΣＴHi×Ｈ＋ΣＴMj×Ｍ｜を減算し、小音量期間における上昇温度｜ＴL ×Ｌ｜を加算することによって、小音量期間終了時点における電気回路の温度を算出することができる。
そして、小音量期間終了時点の電気回路の温度が所定上限温度未満である場合、制御部１１はステップＳ２１の処理を実行し、所定上限温度以上である場合、ステップＳ１９の処理を実行する。
第１の変形例に係るディスク再生装置にあっても、小音量期間における空冷ファン１８の騒音を低減し、且つ電気回路の温度上昇を効果的に抑えることができる。
【００４６】
また、所定上限温度は、空冷ファン１８が中速回転している場合の平衡温度ｔMaより大きな値である方が好ましい。
図７は、第２の変形例に係る電気回路の温度変化を示すタイミングチャートである。図７では、図６と同じ音量パターンでありながら、所定上限温度ｔlimが平衡温度ｔMaより大きな値であるため、大音量期間ＴH2における空冷ファン１８の高速回転を省略することが可能である。
【００４７】
第２の変形例に係るディスク再生装置及び空冷ファン制御方法にあっては、小音量期間における上昇許容温度が大きくなるため、小音量期間が到来する前に降下させるべき降下温度が小さくなり、高速回転期間を短くすることが可能になる。
【００４８】
更に、上述の実施の形態にあっては、温度昇降速度が空冷ファン１８の回転時間に関して線形である場合を説明したが、回転時間に関して非線形の温度昇降速度を用いて高速回転期間における降下温度及び低速回転期間における上昇温度を算出するように構成しても良い。
【００４９】
図８は、第３の変形例に係る温度昇降速度の一例を概念的に示すグラフである。横軸は空冷ファン１８を継続的に回転させた時間、縦軸は電気回路の温度を示している。図２と同様、実線で示した曲線は、電気回路が所定上限温度未満の所定温度である場合に空冷ファン１８を高速回転させたときの温度変化を示している。また、破線で示した曲線は、空冷ファン１８を中速回転させた場合の温度変化を示しており、一点鎖線で示した曲線は、空冷ファン１８を低速回転させた場合の温度変化を示している。
また、温度昇降速度記憶部１９は、電気回路が他の所定温度である場合の温度変化も同様に記憶している。温度昇降速度が回転時間に関して非線形である場合、電気回路の上昇温度及び降下温度は、温度昇降速度を回転時間に関して積分することで算出することができる。上昇温度及び降下温度の算出方法以外は、図４及び図５に示した処理手順と同様である。
【００５０】
第３の変形例に係るディスク再生装置及び空冷ファン制御方法にあっては、電気回路の上昇温度及び降下温度をより正確に推定することができるため、より効果的に小音量期間における空冷ファン１８の騒音を低減し、且つ電気回路の温度上昇を抑えることができる。
【００５１】
なお、実施の形態１及び変形例１〜３に係るディスク再生装置及び空冷ファン制御方法にあっては、空冷ファン１８の回転数を高速回転、中速回転、低速回転の３段階で切り替えるように構成してあるが、４段階以上の多段階で制御するように構成しても良い。
【００５２】
また、ディスク再生装置に搭載された空冷ファン１８の回転を制御する場合を説明したが、電気回路を空冷する空冷ファン１８を備えた他の音声再生装置及び電気機器に本発明を適用しても良い。
【００５３】
（実施の形態２）
実施の形態２に係るディスク再生装置は、実施の形態１に係るディスク再生装置と同様の構成であり、空冷ファン１８の回転数の制御方法のみが異なるため、以下では主に上記相違点について説明する。
実施の形態１にあっては、小音量期間に先立つ大音量期間が短い場合、または小音量期間が長い場合、小音量期間における上昇温度に比して大音量期間における降下温度が小さくなり、上昇温度を十分に温度補償することができない場合がある。実施の形態２に係るディスク再生装置は、小音量期間に先立つ大音量期間が短い場合、小音量期間における空冷ファン１８の回転速度を中低速回転、即ち中速回転時の回転数と低速回転時の回転数との中間の回転数に上昇させることによって、小音量期間における温度上昇を抑えることができるように構成されている。
【００５４】
図９及び図１０は、実施の形態２における空冷ファン１８の回転制御に係る制御部１１の処理手順を示すフローチャートである。制御部１１は、図４に示すステップＳ１１〜２０と同様のステップＳ３１〜４０の処理を実行する。ステップＳ３９では、制御部１１は、高速回転制御期間を延長することができるか否かを判定する（ステップＳ３９）。高速回転制御期間を延長できないと判定した場合（ステップＳ３９：ＮＯ）、制御部１１は、温度補償が不能である旨を記憶し（ステップＳ４１）、ステップＳ３７〜４０の処理で決定された高速回転制御期間を記憶する（ステップＳ４２）。
【００５５】
ステップＳ４２の処理を終えた場合、制御部１１は、現時点が小音量期間であるか否かを判定する（ステップＳ４３）。小音量期間であると判定した場合（ステップＳ４３：ＹＥＳ）、制御部１１は、温度補償が可能であるか否かを判定する（ステップＳ４４）。具体的には、制御部１１は、温度補償が不能である旨を記憶しているか否かに基づいて、温度補償が可能であるか否かを判定する。温度補償が可能であると判定した場合（ステップＳ４４：ＹＥＳ）、制御部１１は、空冷ファン１８を低速回転させ（ステップＳ４５）、処理を終える。温度補償が不能であると判定した場合（ステップＳ４４：ＮＯ）、制御部１１は、空冷ファン１８を中低速回転させ（ステップＳ４６）、処理を終える。
【００５６】
ステップＳ４３で小音量期間でないと判定した場合（ステップＳ４３：ＮＯ）、又はステップＳ３３で小音量期間が無いと判定した場合（ステップＳ３３：ＮＯ）、制御部１１は、現時点が中音量期間であるか否かを判定する（ステップＳ４７）。中音量期間で無いと判定した場合（ステップＳ４７：ＮＯ）、制御部１１は、高速回転制御期間であるか否かを判定する（ステップＳ４８）。
【００５７】
高速回転制御期間でないと判定した場合（ステップＳ４８：ＮＯ）、又は中音量期間であると判定した場合（ステップＳ４７：ＹＥＳ）、制御部１１は、空冷ファン１８を中速回転させ（ステップＳ５０）、処理を終える。
【００５８】
高速回転制御期間であると判定した場合（ステップＳ４８：ＹＥＳ）、制御部１１は、空冷ファン１８を高速回転させ（ステップＳ４９）、処理を終える。
【００５９】
図１１は、実施の形態２に係る電気回路の温度変化を示すタイミングチャートである。図６同様、横軸は時間、縦軸は電気回路の温度を示している。特に図中、一点鎖線で示した直線は小音量期間に空冷ファン１８を低速回転させた場合の温度変化を示しており、二点鎖線で示した直線は小音量期間に空冷ファン１８を中低速回転させた場合の温度変化を示している。図１１は、図６に比して、小音量期間が長く、大音量期間が短い場合を示している。詳細には、図１１に示した小音量期間ＴL の時間長は、図６に示した小音量期間と同時間長の小音量期間ＴL1に比してＴLXだけ長い。また、図１１では図６に示した大音量期間ＴH2が無い。
このような音声データを再生する場合、小音量期間で空冷ファン１８を低速回転させたとき、電気回路の温度は、一点鎖線で示すように小音量期間ＴL が終了する前に所定上限温度ｔlim を超えてしまう。
実施の形態２によれば、大音量期間ＴH1における空冷ファン１８の高速回転のみでは温度補償できない場合、ステップＳ４６で小音量期間ＴL における空冷ファン１８の回転数を増加させることができるため、電気回路の温度を、二点鎖線で示すように、所定上限温度以内に抑えることができる。
【００６０】
従って、実施の形態２に係るディスク再生装置及び空冷ファン制御方法にあっては、小音量期間に先立つ大音量期間が短い場合、又は小音量期間が長い場合であっても、小音量期間における電気回路の温度上昇を効果的に抑えることができ、該電気回路の動作異常を防止することができる。
【００６１】
実施の形態２に係るディスク再生装置の他の構成、作用及び効果は、実施の形態１に係るディスク再生装置の構成、作用及び効果と同様であるため、対応する箇所には同様の符号を付してその詳細な説明を省略する。
【００６２】
（実施の形態３）
図１２は、本発明の実施の形態３に係るディスク再生装置の構成を示すブロック図である。実施の形態３に係るディスク再生装置は、実施の形態１に係るディスク再生装置と同様の構成であり、更にプロジェクタ３のような外部機器に、将来再生されるべき映像データ及び音声データを出力する出力部２１を備えている。
【００６３】
図１３は、本発明の実施の形態３に係るプロジェクタ３の構成を示すブロック図である。図中３２は、例えば超高圧水銀ランプ、メタルハライドランプ等の光源である。光源３２が発した白色光は、回転放物面状の反射鏡３３によって反射されてカラーホイール３４を透過し、ロッドインテグレータ３６に入射する。
【００６４】
カラーホイール３４は、赤・緑・青の光を夫々透過させる扇状のカラーフィルタを周方向に配しており、カラーフィルタの回転通過域に光源３２の投光域が位置するように配置されている。
【００６５】
カラーホイール３４の中心部には、モータ駆動部４１により回転駆動されるモータ３５の出力軸が接続されており、モータ駆動部４１はモータ３５を等速回転させる。モータ３５の回転は、マイクロコンピュータからなる制御部３１によって制御される。
【００６６】
また、制御部３１には、ディスク再生装置の出力部２１及び入力部４３を介して入力した映像データ及び音声データを蓄積するメモリ４４と、空冷ファン４２と、温度昇降速度記憶部４５とが設けられている。温度昇降速度記憶部４５は、実施の形態１と同様、空冷ファン４２が高速回転、中速回転及び低速回転した場合の各種電気回路の温度昇降速度を記憶している。電気回路は、例えば制御部３１、モータ駆動部４１、光源３２等である。制御部３１は、図４及び図５に示したディスク再生装置と同様の処理を実行することによって、大音量期間、中音量期間及び小音量期間を検出し、検出結果及び温度昇降速度記憶部４５が記憶している温度昇降速度に基づいて、小音量期間における電気回路の上昇温度及び高速回転制御期間における降下温度を算出し、降下温度が上昇温度以上になるように高速回転制御期間を決定し、空冷ファン４２の回転を制御している。
【００６７】
カラーホイール３４が等速回転している場合、白色光は赤色、緑色及び青色のカラーフィルタに順次的に入射し、時系列で赤・緑・青の光に色時分割される。色時分割された光は、略長方形のロッドインテグレータ３６の入射口に入射し、入射した光は、ロッドインテグレータ３６の内面で反射を繰り返して均一な光となり、出射口から照明レンズ群３７に入射する。
【００６８】
照明レンズ群３７は、例えばコンデンサレンズ及びリレーレンズからなり、白色光を光変調素子３８、例えばＤＭＤに入射させる。ＤＭＤは、画像データに係る画像の各ドットに対応付けられた複数の微小可動ミラーを備えている。ＤＭＤにはＤＭＤ駆動部４０が接続されており、ＤＭＤ駆動部４０は、制御部３１から与えられた画像データに基づいて、色時分割された赤・緑・青の光が、投射レンズ３９へ又は投射レンズ３９外へ選択的に反射するように、各微小可動ミラーを選択的に±１０度傾ける。ＤＭＤに入射した光は、ＤＭＤの微小可動ミラーにより光変調され、光変調された変調光は、投射レンズ３９に入射する。
【００６９】
投射レンズ３９は、変調光、即ち画像を拡大表示する光をスクリーンに投射する。その結果、画像データに係る画像がスクリーンに色時分割表示される。
【００７０】
実施の形態３に係るディスク再生装置及び空冷ファン制御方法にあっては、音声データを再生するディスク再生装置のみならず、ディスク再生装置に接続されたプロジェクタ３の空冷ファン４２の騒音も同時に抑えることができる。
【００７１】
なお、実施の形態３に係るプロジェクタ３は、外部機器のディスク再生装置から音声データを取得し、該音声データに基づいて空冷ファン１８の回転を制御するように構成してあるが、ディスク再生装置から取得する音声データは完全な音声を再生できる狭義の音声データである必要は無く、少なくとも音量の大小を示す情報を含むデータであれば良い。例えば、図３（ｂ）に示す包絡線検波信号をディスク再生装置が出力し、プロジェクタ３が受信するように構成しても良い。また、図３（ｃ）に示すように大音量期間、中音量期間及び小音量期間の情報を含む音声データをディスク再生装置が出力し、プロジェクタ３が広義の音声データを受信して、空冷ファン１８の回転を制御するように構成しても良い。
【００７２】
実施の形態３に係るディスク再生装置の他の構成、作用及び効果は、実施の形態１に係るディスク再生装置の構成、作用及び効果と同様であるため、対応する箇所には同様の符号を付してその詳細な説明を省略する。
【００７３】
（実施の形態４）
図１４は、本発明の実施の形態４に係るコンピュータ５の構成を示すブロック図である。実施の形態４に係るコンピュータ５は、コンピュータ５の各種構成部の動作を制御し、本発明に係る空冷ファン制御方法を実施するＣＰＵ５１を備えており、ＣＰＵ５１にはバス６１を介して、ＲＯＭ５２、ＲＡＭ５３、計時部５４、補助記憶装置５５、映像出力部５６、音声出力部５７、空冷ファン５８、記憶装置５９、通信インタフェース６０等が接続されている。
【００７４】
図１４に示す記憶媒体６、例えばＣＤ−ＲＯＭ、ＤＶＤ−ＲＯＭ又はメモリーカード等は、本発明の実施の形態１〜３に係るディスク再生装置の機能を実現するための温度昇降速度、中音量閾値及び大音量閾値、本発明に係るコンピュータプログラム７等をコンピュータ５に読み取り可能に記録している。
補助記憶装置５５は、記憶媒体６に記録されたコンピュータプログラム７及び各種データを記憶媒体６から読み出し、読み出されたコンピュータプログラム７及び各種データを、記憶装置５９に記憶させる。
記憶装置５９は、例えばハードディスクであり、本発明に係るコンピュータプログラム、音声データ等を記憶する。
コンピュータ５は、前記コンピュータプログラム７を記憶装置５９からＲＡＭ５３に読み出して実行することにより、実施の形態１乃至３に係るディスク再生装置と同様、空冷ファン５８の回転制御機能を実現する。
該コンピュータプログラム７は、少なくとも記憶装置５９が記憶している音声データを読み出してＲＡＭ５３に蓄積し、ＲＡＭ５３に蓄積された音声データに基づいて、大音量期間、中音量期間及び小音量期間を検出し、検出された大音量期間における空冷ファン５８の回転数を、該大音量期間より後の小音量期間の長／短に応じて、増／減させる処理を、コンピュータ５に実行させるプログラムを含んでいる。
また、コンピュータ５は、通信インタフェース６０を備えている。ＣＰＵ５１は、通信インタフェース６０を介して、通信ネットワークに接続されたサーバコンピュータとの間で通信を確立し、コンピュータプログラム７を前記サーバコンピュータからダウンロードし、記憶装置５９に記憶させることもできる。
【００７５】
実施の形態４に係るコンピュータ及び空冷ファン制御方法にあっても、実施の形態１乃至３に係るディスク再生装置と同様、小音量期間における空冷ファン５８の騒音を低減し、且つ電気回路の温度上昇を効果的に抑えることができる。
また、無駄に空冷ファン５８の回転数が増加することは防止し、効果的に空冷ファンの騒音を抑えることができる。
【００７６】
実施の形態４に係るコンピュータの他の構成、作用及び効果は、実施の形態１に係るディスク再生装置の構成、作用及び効果と同様であるため、対応する箇所には同様の符号を付してその詳細な説明を省略する。
【図面の簡単な説明】
【００７７】
【図１】本発明の実施の形態に係るディスク再生装置の構成を示すブロック図である。
【図２】温度昇降速度を概念的に示すグラフである。
【図３】空冷ファンの回転制御の処理内容を示すタイミングチャートである。
【図４】空冷ファンの回転制御に係る制御部の処理手順を示すフローチャートである。
【図５】空冷ファンの回転制御に係る制御部の処理手順を示すフローチャートである。
【図６】電気回路の温度変化を示すタイミングチャートである。
【図７】第２の変形例に係る電気回路の温度変化を示すタイミングチャートである。
【図８】第３の変形例に係る温度昇降速度の一例を概念的に示すグラフである。
【図９】実施の形態２における空冷ファンの回転制御に係る制御部の処理手順を示すフローチャートである。
【図１０】実施の形態２における空冷ファンの回転制御に係る制御部の処理手順を示すフローチャートである。
【図１１】実施の形態２に係る電気回路の温度変化を示すタイミングチャートである。
【図１２】本発明の実施の形態３に係るディスク再生装置の構成を示すブロック図である。
【図１３】本発明の実施の形態３に係るプロジェクタの構成を示すブロック図である。
【図１４】本発明の実施の形態４に係るコンピュータの構成を示すブロック図である。
【符号の説明】
【００７８】
３  プロジェクタ
６  記憶媒体
７  コンピュータプログラム
１１，３１  制御部
１２  再生部
１３  デコーダ
１４，４４  メモリ
１５  音量検出部
１６  映像出力部
１７  音声出力部
１８，４２，５８  空冷ファン
１９，４５  温度昇降速度記憶部
５１  ＣＰＵ
５２  ＲＯＭ
５３  ＲＡＭ
５４  計時部
５５  補助記憶装置
５９  記憶装置
６０  通信インタフェース
Ｍ  記録媒体
【図１】
0004836924.tif 000002
【図２】
0004836924.tif 000003
【図３】
0004836924.tif 000004
【図４】
0004836924.tif 000005
【図５】
0004836924.tif 000006
【図６】
0004836924.tif 000007
【図７】
0004836924.tif 000008
【図８】
0004836924.tif 000009
【図９】
0004836924.tif 000010
【図１０】
0004836924.tif 000011
【図１１】
0004836924.tif 000012
【図１２】
0004836924.tif 000013
【図１３】
0004836924.tif 000014
【図１４】
0004836924.tif 000015